(57)【要約】【課題】重量のある物体の回転がスムーズに安定して行なわれる回転軸支持装置を提供することを目的とする。【解決手段】回転軸１と、回転軸１に外嵌固定されて設けられ、外周に回転軸１の軸方向に対して傾斜する円錐傾斜面１４を備える回転側環体１０と、回転軸１の挿通穴１７を備えるとともに、その挿通穴１７の周囲に回転側環体１０の円錐傾斜面１４に相対接触する円錐傾斜面１８を備える固定側環体１６と、回転軸１に被嵌装着されて設けられ、固定側環体１６に回転軸１が挿通された際に相対接触する円錐傾斜面１４、１８の間の接触圧力を制御するバネ２０とを備えてなる回転軸支持装置。【選択図】  図１
2006022940.tif 000002
【特許請求の範囲】
【請求項１】
回転軸と、
前記回転軸に外嵌固定されて設けられ、外周に前記回転軸の軸方向に対して傾斜する円錐傾斜面を備える回転側環体と、
前記回転軸の挿通穴を備えるとともに、その挿通穴の周囲に前記回転側環体の円錐傾斜面に相対接触する円錐傾斜面を備える固定側環体と、
前記回転軸に被嵌装着されて設けられ、前記固定側環体に前記回転軸が挿通された際に前記相対接触する円錐傾斜面の間の接触圧力を制御するバネと、
を備えてなることを特徴とする回転軸支持装置。
【請求項２】
回転軸と、
前記回転軸に外嵌固定されて設けられ、外周に接触面を備える回転側環体と、
前記回転軸の挿通穴を備えるとともに、その挿通穴の周囲に前記回転側環体の接触面に相対接触する接触面を備える固定側環体と、
前記接触面それぞれの間を部分接触させる偏心カム機構と、
を備えてなることを特徴とする回転軸支持装置。
【請求項３】
回転軸と、
前記回転軸の挿通穴を備える固定側体と、
前記回転軸が前記固定側体の挿通穴に挿通されるに際にそれら両者間に介在される円錐ころ軸受と、
を備えてなることを特徴とする回転軸支持装置。
【発明の詳細な説明】
【技術分野】
【０００１】  この発明は液晶テレビ等の機器の回転支持部位に使用される回転軸支持装置に関する。
【背景技術】
【０００２】  最近、液晶テレビが普及しているが、この液晶テレビは液晶テレビ本体が支持台上に取り付けられて構成されている。そして、その支持台の下面にキャスターが取り付けられていて、その支持台を動かすことで、液晶テレビ全体を移動でき、また、その方向が変えることができるようになっている。
【発明の開示】
【０００３】  したがって、現状においてはその方向を変えるには支持台と一体に液晶テレビ本体を動かすこととなるので、全体の重量が相当大きいため、容易にその作業が行なえないという問題があった。
【発明が解決しようとする課題】
【０００４】  この発明は、重量のある物体の回転がスムーズに安定して行なわれる回転軸支持装置を提供することを目的とする。
【０００５】  上記目的を達成するために、請求項１の発明では、回転軸と、前記回転軸に外嵌固定されて設けられ、外周に前記回転軸の軸方向に対して傾斜する円錐傾斜面を備える回転側環体と、前記回転軸の挿通穴を備えるとともに、その挿通穴の周囲に前記回転側環体の円錐傾斜面に相対接触する円錐傾斜面を備える固定側環体と、前記回転軸に被嵌装着されて設けられ、前記固定側環体に前記回転軸が挿通された際に前記相対接触する円錐傾斜面の間の接触圧力を制御するバネとを備えてなる回転軸支持装置を提供する。
【０００６】  さらに、請求項２の発明では、回転軸と、前記回転軸に外嵌固定されて設けられ、外周に接触面を備える回転側環体と、前記回転軸の挿通穴を備えるとともに、その挿通穴の周囲に前記回転側環体の接触面に相対接触する接触面を備える固定側環体と、前記接触面それぞれの間を部分接触させる偏心カム機構とを備えてなる回転軸支持装置を提供する。
【０００７】  さらに、請求項３の発明では、回転軸と、前記回転軸の挿通穴を備える固定側体と、前記回転シャフトが前記固定側体の挿通穴に挿通されるに際にそれら両者間に介在される円錐ころ軸受とを備えてなる回転軸支持装置を提供する。
【発明の効果】
【０００８】  この発明によれば、重量のあるものの回転がスムーズに行なえるようになり、この装置を液晶テレビやその他機器の回転部位に使用することで、その回転操作が容易に安定して行なえるようになる。
【発明を実施するための最良の形態】
【０００９】  図１は請求項１の発明の回転軸支持装置の第１の実施形態の断面図、図２は分解斜視図である。１は回転軸としてのシャフトであり、下部から上部にかけてネジ部３、カット面４が形成された固定部５、挿通部６、係止部８、連結固定部９それぞれが順次設けられて構成されている。【００１０】  １０は回転側環体としての回転スリーブであり、固定穴１２を備え、その固定穴１２部分が上記固定部５に外嵌固定されることでシャフト１に取り付けられている。回転スリーブ１０の外周の一方側には上記シャフト１の軸方向に対して傾斜する円錐傾斜面１４が設けられている。【００１１】  １５はブラケットであり、このブラケット１５に固定側環体としての固定スリーブ１６が固定ネジ１９それぞれにより取り付けられている。固定スリーブ１６は上記シャフト１の挿通穴１７を備え、その挿通穴１７の下方側周囲に上記回転スリーブ１０の円錐傾斜面１４に相対接触する円錐傾斜面１８を備えている。【００１２】  ２０はコイルバネ、２１はナットであり、上記ブラケット１５に取り付けられた固定スリーブ１６に回転スリーブ１０が装着されたシャフト１が挿通されている状態において、コイルバネ２０を介してナット２１が締められることで回転スリーブ１０が固定スリーブ１６側に押圧され、これにより、円錐傾斜面１４、１８が弾力的に接触するようになっている。そして、その際のナット２１の締め込み度合いが調整されることでその接触圧力が制御され、これによりシャフト１の回転がスムーズに行なわれるようなっている。２５はワッシャーである。【００１３】  図３は請求項１の発明の回転軸支持装置の第２の実施形態の断面図、図４はその斜視図である。これらの図において、第１の実施形態のものと同様の構成部分には同様の番号を付している。この第２の実施形態のものでは上記の第１の実施形態のものにおいてシャフト１の連結固定部９位置にコイルバネ装着軸２６を延出させ、そのコイルバネ装着軸２６に回転方向におけるトルク発生用のコイルバネ２７が装着されている。シャフト１はブラケット２４に立設される一対の軸支持片２８それぞれに掛け渡される状態に設けられ、コイルバネ２７の一端は一方の支持片２８に係止され、他端はコイルバネ装着軸２６に嵌入固定される固定ピン２９に係止固定されている。この実施形態のものにおいても、第１の実施形態のものと同様に、円錐傾斜面１４、１８が弾力的に所望の接触圧力により接触するようにして、シャフト１の回転がスムーズに行なわれるようにしている。【００１４】  次に図５を用い上記第１と第２の実施形態の回転軸支持装置それぞれの液晶テレビにおける使用例を説明する。３０は液晶テレビ本体、３１はその支持台であり、支持台３１は基台部３２とその基台部３２上に水平面において回転可能に取り付けられる回転部３３とからなり、支持台３１への回転部３３の軸支部に上記の第１の実施形態の回転軸支持装置Ａが、回転部３３への液晶テレビ本体３０の２箇所の軸支部それぞれに上記の第２の実施形態の回転軸支持装置Ｂそれぞれが用いらている。支持台３１の基台部３２上にブラケット１５が固定され、上方に突出するシャフト１の連結固定部９に回転部３３の下部が固定状態に取り付けられて回転軸支持装置Ａが設けられ、図４にも示すように、回転部３３の両側に突出する部分３７の後面にブラケット２４が固定されるとともにシャフト１端が液晶テレビ本体３０の後面から後方に突出する取り付け部３８に嵌入固定されて回転軸支持装置Ｂが設けられている。【００１５】  このような構成により、液晶テレビ本体３０の水平角度調整のための回転が、回転軸支持装置Ａを採用することで、より少ない力で容易に、しかもガタツキのない安定した状態で行なうことが可能となる。また、液晶テレビ本体３０の上下角度調整のための回転も、回転軸支持装置Ｂを採用することで、上記と同様にして容易に安定して行なうことができるようになる。なお、回転支持装置Ｂのコイルバネ２７は液晶テレビ本体３０の倒れ防止機能を発揮するもので、このコイルバネ２７により、液晶テレビ本体３０の上下角度調整のための回転がさらに容易に安定したものとなる。【００１６】  図６は請求項２の発明の実施形態の回転軸支持装置の断面構成を示す。５１は回転軸としてのシャフトであり、一端側から他端側にかけてネジ部５３、固定部５５、挿通部５６、係止部５８、係止部５８から延び出す連結部５９それぞれが順次設けられて構成されている。【００１７】  ６０は回転側環体としての回転スリーブであり、固定穴６２を備え、その固定穴６２部分が上記固定部５５に外嵌固定されることでシャフト５１に取り付けられている。回転スリーブ６０の外周の一方側には上記シャフト５１の軸方向に対して傾斜する円錐傾斜面６４が設けられている。図７はその回転スリーブ６０の円錐傾斜面６４側を示し、回転スリーブ６０の円錐傾斜面６４はその中心位置Ｃ１が固定穴６２の中心位置Ｃ２からずれる、いわゆる偏心する位置となるように形成されている。【００１８】  ６５はブラケットであり、このブラケット６５に固定側環体としての固定スリーブ６６が固定ネジにより取り付けられる。固定スリーブ６６は上記シャフト５１の挿通穴６７を備え、その挿通穴６７の一方側周囲に上記回転スリーブ６０の円錐傾斜面６４に相対接触する円錐傾斜面６８を備えている。図８は固定スリーブ６６の円錐傾斜面６８側を示し、その円錐傾斜面６８は所定の角度Ｘにおいて切除されている。【００１９】  ７０は皿バネ、７１はナットであり、上記ブラケット６５に取り付けられた固定スリーブ６６に回転スリーブ６０が装着されたシャフト５１が挿通されている状態において、皿バネ７０を介してナット７１が締められることで回転スリーブ６０が固定スリーブ６６側に押圧され、これにより、円錐傾斜面６４の中心位置Ｃ１と固定穴６２の中心位置Ｃ２とが偏心していることで、相対接触する円錐傾斜面６４、６８の間が線接触し、その線接触（線接触部位Ｔ以外の他の傾斜面６４、６８間には隙間Ｓが形成される）部分に所定の接触圧力が発生する構成となっている。この際、固定スリーブ６６の円錐傾斜面６８が切除されている部分では全く線接触は起こらず、接触圧力は発生しない。【００２０】  上記の回転軸支持装置は、例えばノートパソコンの蓋の回転支持部等において使用され、ブラケット６５側がノートパソコン本体側に固定され、連結部５９が蓋体側に連結される。この回転軸支持装置が用いられることで、円錐傾斜面６４、６８どおしの線接触部分において生じる接触圧により蓋が安定して開閉され、また、その開閉時に円錐傾斜面６４、６８どおしの非接触状態による無負荷状態が得られる。ノートパソコンの蓋の場合、開ける際ラッチを解除するとバネ力によりポップアップして開く構成を採用している場合がある。そのポップアップの際に回転支持部に負荷がかかっているとその動作が緩慢となり好ましくないが、この回転支持装置の無負荷状態を得られるタイミングをホップアップのタイミングに合わせることでその問題が解消される。【００２１】  図９は請求項３の発明の実施形態の回転軸支持装置の断面構成を示す。８１は回転軸としてのシャフトであり、下部から上部にかけてネジ部８３、円柱状の軸受け装着部８４、円柱状の挿通部８６、連結固定部８７それぞれが順次設けられて構成されている。【００２２】  ９５はブラケットであり、このブラケット９５内部に上下２段に円錐ころ軸受け９６それぞれが装着され、それら円錐ころ軸受け９６の内輪それぞれを挿通するようにしてシャフト８１が設けられ、上側から固定板８８で押さえられた状態において下側からスペーサー１００、１０１それぞれを介してナット１０２、１０３それぞれが締め付けられることで、円錐ころ軸受け９６、さらには、シャフト８１が所定位置に固定状態に設けられている。そして、円錐ころ軸受け９６部分における回転時の接触圧力はナット１０２、１０３の締め込み度合いにより調節されて制御される。【００２３】  上記回転軸支持装置は、請求項１の発明の第１の実施形態の回転軸支持装置と同様に液晶テレビ、さらには重量の大きいプラズマテレビ等の回転部位において用いられる。
【図面の簡単な説明】
【図１】  請求項１の発明の回転軸支持装置の第１の実施形態の断面図
【図２】  請求項１の発明の回転軸支持装置の第１の実施形態の分解斜視図
【図３】  請求項１の発明の回転軸支持装置の第２の実施形態の断面図
【図４】  請求項１の発明の回転軸支持装置の第２の実施形態の取り付け斜視図
【図５】  請求項１の発明の回転軸支持装置それぞれの使用状態説明図
【図６】  請求項２の発明の回転軸支持装置の実施形態の断面図
【図７】  請求項２の発明の回転軸支持装置に用いる部品図
【図８】  請求項２の発明の回転軸支持装置に用いる部品図
【図９】  請求項３の発明の回転軸支持装置の実施形態の断面図
【符号の説明】
１    シャフト（回転軸）
１０  回転スリーブ（回転側環体）
１６  固定スリーブ（固定側間環体）
１４  円錐傾斜面
１７  挿通穴
１８  円錐傾斜面
２０  コイルバネ
【図１】
2006022940.tif 000003
【図２】
2006022940.tif 000004
【図３】
2006022940.tif 000005
【図４】
2006022940.tif 000006
【図５】
2006022940.tif 000007
【図６】
2006022940.tif 000008
【図７】
2006022940.tif 000009
【図８】
2006022940.tif 000010
【図９】
2006022940.tif 000011